(57)【特許請求の範囲】
【請求項１】
互いに嵌め合わせ可能な甲ケース体と乙ケース体とで開閉可能に構成され且つ内部に基板を格納可能な基板ケースと、
前記基板ケースを閉じた状態で前記甲ケース体と前記乙ケース体とを封止可能な封止手段とを備え、
前記封止手段は、前記基板ケース上の所定の損壊部を損壊することによりその封止を解除可能に構成された
遊技機において、
前記封止手段は、第１封止手段と、前記第１封止手段による封止が解除された後の再封止時に使用する第２封止手段とを含み、
前記第１封止手段は、前記甲ケース体と前記乙ケース体との一方側に設けられた第１封止部と、前記甲ケース体と前記乙ケース体との他方側に設けられた係合部とを備え、
前記係合部と前記第１封止部上の被係合部とが係合して前記甲ケース体に対する前記乙ケース体の開方向への相対移動を阻止することにより前記基板ケースが閉状態で封止されると共に、
前記損壊部のうちの第１損壊部を損壊して前記甲ケース体と前記乙ケース体との一方側から前記第１封止部を取り除くことによりその封止が解除されるように構成され、
前記第２封止手段は、第２封止部材により前記甲ケース体に対する前記乙ケース体の開方向への相対移動を阻止することにより封止するように構成されており、
前記第１封止手段の封止解除時に前記甲ケース体と前記乙ケース体との一方側から取り除かれた前記第１封止部を前記第２封止部材として使用可能に構成した
ことを特徴とする遊技機。
【発明の詳細な説明】
【技術分野】
【０００１】
本発明は、閉状態で封止可能な基板ケースを備えたパチンコ機、スロットマシン等の遊技機に関するものである。
【背景技術】
【０００２】
パチンコ機等の遊技機では、各種制御基板等が基板ケースに格納された状態で本体裏側等に装着されている。一般的な基板ケースは、甲ケース体と乙ケース体とを開閉可能に嵌め合わせることにより略箱形となるように構成されている。
【０００３】
また、遊技機の基板ケースには、不正開封防止のための封止手段を備えたものがある。この封止手段は、基板ケースを閉じた状態で甲ケース体と乙ケース体とを封止し、その後に開封した場合にはその痕跡が必ず残るようにすることで、不正な開封を未然に防止すると共に仮に不正に開封されたとしてもそれを容易に発見できるようにしようとするものである。なお、一般的な基板ケースでは封止手段を複数備え、それらを順次使用することにより封止−開封を複数回繰り返すことが可能となっており、例えば特許文献１に記載の発明では四組の封止手段を備えている。
【０００４】
この特許文献１に記載の発明では、各封止手段が、甲ケース体及び乙ケース体とは別体に形成された封止部材と、甲ケース体側に一体に設けられ且つ封止部材を装着可能な封止部材装着部と、乙ケース体側に一体に設けられ且つ封止部材側の係合部に対応する被係合部とで構成されている。基板ケースを封止する場合には、４組の封止手段のうちの１つについて、係合部を乙ケース体側に向けた状態で封止部材を封止部材装着部に装着し、その乙ケース体に対して甲ケース体を閉状態に嵌め合わせる。これにより、封止部材の係合部が乙ケース体側の被係合部に係合して、甲ケース体に対する乙ケース体の開方向への相対移動が阻止され、基板ケースは閉状態で封止される。
【０００５】
基板ケースを開封する際には、封止部材装着部を甲ケース体に一体に連結している連結部分をニッパー等で切断し、この封止部材装着部と共に封止部材を甲ケース体から除去することにより、封止手段による封止を解除できる。このとき、その切断部分が開封の痕跡として残る。以上の操作を繰り返すことにより、四回を限度として基板ケースの封止−開封を行うことができる。
【先行技術文献】
【特許文献】
【０００６】
【特許文献１】特開２００７−５０２３０号公報
【発明の概要】
【発明が解決しようとする課題】
【０００７】
この特許文献１に記載の発明では、上述したように一つの封止手段で一回の封止−開封サイクルが完結する構成となっている。これにより、開封作業時には除去した封止部材装着部や封止部材を廃棄しなければならないため無駄が多く手間も掛かり、また同じ構成の封止手段を複数組設ける必要があるため構成が複雑となり、部品点数も増加するという多くの問題点を抱えている。
【０００８】
本発明は、上記事情に鑑みてなされたものであり、その目的とするところは、部品点数が少なく、構成が簡単で開封時の手間や無駄を最小限に抑えることが可能な基板ケースを備えた遊技機を提供することにある。
【課題を解決するための手段】
【０００９】
本発明は、互いに嵌め合わせ可能な甲ケース体４１と乙ケース体４２とで開閉可能に構成され且つ内部に基板２３を格納可能な基板ケース２４と、前記基板ケース２４を閉じた状態で前記甲ケース体４１と前記乙ケース体４２とを封止可能な封止手段４７，４８とを備え、前記封止手段４７，４８は、前記基板ケース２４上の所定の損壊部８０，８４を損壊することによりその封止を解除可能に構成された遊技機において、前記封止手段４７，４８は、第１封止手段４７と、前記第１封止手段４７による封止が解除された後の再封止時に使用する第２封止手段４８とを含み、前記第１封止手段４７は、前記甲ケース体４１と前記乙ケース体４２との一方側に設けられた第１封止部７５と、前記甲ケース体４１と前記乙ケース体４２との他方側に設けられた係合部９８とを備え、前記係合部９８と前記第１封止部７５上の被係合部９９とが係合して前記甲ケース体４１に対する前記乙ケース体４２の開方向への相対移動を阻止することにより前記基板ケース２４が閉状態で封止されると共に、前記損壊部８０，８４のうちの第１損壊部８０を損壊して前記甲ケース体４１と前記乙ケース体４２との一方側から前記第１封止部７５を取り除くことによりその封止が解除されるように構成され、前記第２封止手段４８は、第２封止部材により前記甲ケース体４１に対する前記乙ケース体４２の開方向への相対移動を阻止することにより封止するように構成されており、前記第１封止手段４７の封止解除時に前記甲ケース体４１と前記乙ケース体４２との一方側から取り除かれた前記第１封止部７５を前記第２封止部材として使用可能に構成したものである。
【発明の効果】
【００１０】
本発明によれば、部品点数が少なく、構成が簡単で、しかも基板ケース２４の最初の開封から再封止までの作業において廃棄物の発生が抑制されるため作業の手間や無駄を最小限に抑えることが可能である。
【図面の簡単な説明】
【００１１】
【図１】本発明の第１の実施形態を示すパチンコ機の全体正面図である。
【図２】同じく遊技盤の背面図である。
【図３】同じく主基板ケース体の背面図である。
【図４】同じく集球ケース及び主基板ケースの分解斜視図である。
【図５】同じく表ケース体及び裏ケース体の要部拡大斜視図である。
【図６】同じく表ケース体及び裏ケース体の要部拡大斜視図である。
【図７】同じく第１封止手段による主基板ケースの封止手順を示す説明図である。
【図８】同じく第１封止手段による封止完了時の主基板ケースの縦断面図である。
【図９】同じく第１封止手段による封止の解除手順を示す説明図である。
【図１０】同じく第２封止手段による主基板ケースの封止手順を示す説明図である。
【図１１】同じく第２封止手段による封止完了時の主基板ケースの縦断面図である。
【図１２】同じく第２封止手段による封止の解除手順を示す説明図である。
【図１３】本発明の第２の実施形態を示す表ケース体及び裏ケース体の要部拡大斜視図である。
【発明を実施するための形態】
【００１２】
以下、本発明の実施形態を図面に基づいて詳述する。図１〜図１２は本発明をパチンコ機に採用した第１の実施形態を例示している。なお、以下の説明における上下左右の方向については、特に基準を示さない限り遊技機本体を前側から見た場合の上下左右をいうものとする。
【００１３】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。
【００１４】
前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジ（図示省略）により前枠３に開閉自在に枢支されている。前面開閉板７には、その前側に、発射手段８に供給するための遊技球を貯留する貯留皿９、発射手段８を作動させるための発射ハンドル１０等が設けられている。
【００１５】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１６】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。
【００１７】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図４に示すように上面側と前面側とが開放した略箱形に形成されており、裏カバー２１の下側に近接して配置され、遊技盤５の裏側に着脱自在に固定されている。
【００１８】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３側に装着したときに前枠３側のコネクタ（図示省略）に直接結合される遊技盤側コネクタ３２が複数配置されている。主基板ケース装着部３１は、集球ケース２２の背面側に設けられた装着開口部３３と、その装着開口部３３の上下両縁側に沿って配置される装着レール３４と、主基板ケース２４の一端側、例えば左端側を保持する第１保持手段３５と、この第１保持手段３５により一端側が保持された主基板ケース２４の他端側を解除可能に保持する締結つまみ等よりなる第２保持手段３６とを備えている。
【００１９】
この主基板ケース装着部３１に装着される主基板ケース２４は、図４等に示すように、主制御基板２３の両面側から互いに嵌め合わせ可能な表ケース体（甲ケース体）４１と裏ケース体（乙ケース体）４２とで開閉自在に構成されており、表ケース体４１と裏ケース体４２とを夫々主制御基板２３の電子部品装着面２３ａ側とその裏面２３ｂ側から互いに嵌め合わせた状態で所定方向、例えば左右方向（以下、開閉スライド方向という）に互いに相対的にスライドさせることにより、嵌め合わせ状態がロック手段４３により保持されるロック状態と、保持されないアンロック状態とに切り換え可能となっている。即ち主基板ケース２４は、表ケース体４１と裏ケース体４２とをアンロック状態からロック状態に切り換えることにより閉状態となり、逆にロック状態からアンロック状態に切り換えることにより開状態となる。
【００２０】
なお、この主基板ケース２４に格納される主制御基板２３は、例えば横長矩形状に形成され、その一面側の電子部品装着面２３ａには、外縁に沿って複数個のコネクタ４４が配置されると共に、それらコネクタ４４よりも内側にＣＰＵ，ＲＯＭ，ＲＡＭ等の各種電子部品４５が配置されている。
【００２１】
また、主基板ケース２４には、図３，図４等に示すように、主制御基板２３を格納するための基板格納部４６と、表ケース体４１と裏ケース体４２とを閉状態でロックするためのロック手段４３とが設けられると共に、例えば基板格納部４６の一端側、例えば左端側に、第１封止手段４７、第２封止手段４８、ＩＣタグシール貼付部４９、閉鎖固定部５０等が設けられている。なお本実施形態では、図３に示すように、基板格納部４６の左縁部に沿ってその上端側から下端側にかけてＩＣタグシール貼付部４９、第１封止手段４７、第２封止手段４８、閉鎖固定部５０の順で配置されているものとする。
【００２２】
第１封止手段４７及び第２封止手段４８は、主基板ケース２４を閉状態で封止するもので、第１封止手段４７は最初の封止時に用いられ、第２封止手段４８は第１封止手段４７による封止が解除された後の再封止時に用いられるようになっている。ＩＣタグシール貼付部４９は、ＩＣタグシール４０を表ケース体４１と裏ケース体４２とに跨って貼付するための部分である。また閉鎖固定部５０は、表ケース体４１と裏ケース体４２とをロック状態でねじ止め等により互いに固定するための部分である。
【００２３】
基板格納部４６は、表ケース体４１側の表蓋部５１と裏ケース体４２側の裏蓋部５２とで構成されている。
【００２４】
表ケース体４１側の表蓋部５１は、図３〜図６等に示すように、主制御基板２３の外縁を取り囲む上下左右の周壁部５３〜５６と、主制御基板２３の電子部品装着面２３ａに対向する表カバー部５７とを一体に備え、裏ケース体４２側が開放されて開口５８を形成している。表カバー部５７は、その外周側に沿って設けられた低壁部５７ａと、その低壁部５７ａの内側で外向き、即ち電子部品装着面２３ａから離れる方向に膨出する膨出部５７ｂとを備えている。低壁部５７ａ上には、主制御基板２３のコネクタ４４に対応して内向き、即ち主制御基板２３側に凹入する複数の凹部５９ａ〜５９ｃが設けられ、それら凹部５９ａ〜５９ｃにはコネクタ４４が嵌合するコネクタ嵌合孔６０が夫々１又は複数設けられている。膨出部５７ｂは、主制御基板２３の電子部品装着面２３ａとの間に電子部品の収容空間を確保するためのものである。
【００２５】
このような表蓋部５１に対し、主制御基板２３は、コネクタ４４をコネクタ嵌合孔６０に嵌合させつつ開口５８側から嵌め込まれ、電子部品装着面２３ａを凹部５９ａ〜５９ｃの内面側に当接させた状態でねじ止め等により着脱自在に固定される。
【００２６】
裏ケース体４２側の裏蓋部５２は、図３〜図６等に示すように、主制御基板２３の裏面２３ｂに対向する裏カバー部６１と、この裏カバー部６１に対して開閉スライド方向の一端側に設けられた起立壁部６２とを一体に備えている。裏カバー部６１は、表蓋部５１側の開口５８に対応する矩形板状に形成され、表蓋部５１側の周壁部５３〜５６の端縁に摺接し、ロック状態のときに表蓋部５１側の開口５８を略閉鎖するようになっている。起立壁部６２は、裏カバー部６１の縁部から表蓋部５１側の左周壁部５５に沿って垂直に立設されており、ロック状態のときに左周壁部５５の外面側に当接するようになっている。なお、例えば裏カバー部６１の外縁部には、主基板ケース装着部３１の第２保持手段３６が係脱自在に係合する被係合部３６ａが外向きに一体形成されている。
【００２７】
ロック手段４３は、図５，図６等に示すように、表ケース体４１側のロック被係合部６３と裏ケース体４２側のロック係合部６４とで構成されている。
【００２８】
表ケース体４１側のロック被係合部６３は、例えば表蓋部５１の上下の周壁部５３，５４に沿って配置されている。即ち、上下の周壁部５３，５４の内側には夫々若干の隙間を挟んで内ガイド板５３ａ，５４ａが表カバー部５７の裏側に向けて立設されており、それら内ガイド板５３ａ，５４ａと周壁部５３，５４との間のガイド溝６５内に、ロック被係合部６３が開閉スライド方向に沿って間欠的に夫々複数設けられている。このロック被係合部６３は、内ガイド板５３ａ，５４ａと周壁部５３，５４との間を一体に連結するように、周壁部５３，５４における表蓋部５１側の端縁に沿って所定長さに形成されている。
【００２９】
裏ケース体４２側のロック係合部６４は、表ケース体４１側のロック被係合部６３に対応して裏カバー部６１の内面６１ａ側に一体に設けられ、裏カバー部６１から表蓋部５１側に向けて突出する係合脚部６４ａと、この係合脚部６４ａの先端側から開閉スライド方向の一方側（ここでは右向き）に突出する係合爪部６４ｂとで略Ｌ字型に形成されており、アンロック状態で表ケース体４１側のガイド溝６５内に嵌合し、ロック状態となったときに係合爪部６４ｂがロック被係合部６３に夫々係合するようになっている。
【００３０】
第１封止手段４７は、図４〜図６等に示すように、表ケース体４１側の表ケース側封止部（甲ケース側封止部）６６と裏ケース体４２側の裏ケース側封止部（乙ケース側封止部）６７とで構成され、それら表ケース側封止部６６と裏ケース側封止部６７とを分離不能に結合することにより表ケース体４１と裏ケース体４２とをロック状態で封止可能となっており、例えば基板格納部４６に対して開閉スライド方向の一端側近傍に配置されている。
【００３１】
表ケース側封止部６６は、例えば略矩形板状に形成された表ケース側封止本体部６６ａと、この表ケース側封止本体部６６ａの外縁部に設けられた表ケース側係合爪部６６ｂとを備え、表ケース体４１の表ケース側設置部６８内に配置され、表ケース側損壊部（甲ケース側損壊部）６９を介して表ケース体４１上に一体形成されている。
【００３２】
表ケース側設置部６８は、例えば左周壁部５５と、この左周壁部５５から基板格納部４６の外側に向けて開閉スライド方向に突設された上下一対の表ケース側リブ７０，７１とで三方を取り囲まれており、表ケース側封止部６６は、例えば表ケース側封止本体部６６ａが表蓋部５１側の背面５１ａ（図５）と略面一となるようにその表ケース側設置部６８内に配置されている。なお、表ケース側封止部６６の外周側と表ケース側設置部６８との間には所定幅の隙間７２が設けられている。また、表ケース側係合爪部６６ｂは、表ケース側封止本体部６６ａの四辺のうち、例えば表ケース側設置部６８に面していない一辺の外縁側に突設されている。
【００３３】
表ケース側損壊部６９は、例えば所定太さの線状に形成され、表ケース側封止部６６の外縁部と表ケース側設置部６８の内縁部とを一体に連結するように隙間７２内に複数配置されている。本実施形態では、表ケース側封止本体部６６ａの四辺のうち、表ケース側設置部６８に面している三辺に対して表ケース側損壊部６９が二本ずつ設けられている。
【００３４】
裏ケース側封止部６７は、表ケース側封止本体部６６ａに対応する裏ケース側封止本体部６７ａと、表ケース側係合爪部６６ｂに対応する裏ケース側係合爪部６７ｂとを備え、裏ケース体４２の裏ケース側設置部７３内に配置され、表ケース側損壊部６９に対応する裏ケース側損壊部（乙ケース側損壊部）７４を介して裏ケース体４２上に一体形成されており、表ケース側封止部６６の裏面側、即ち裏ケース体４２側に摺接し、ロック状態のときに表ケース側封止部６６と前後に完全に重なるようになっている。第１封止手段４７による最初の封止を行う際には、このロック状態で表ケース側封止部６６と裏ケース側封止部６７とが超音波溶着、熱溶着等により分離不能に結合される。
【００３５】
なお、表ケース側封止部６６と裏ケース側封止部６７とは、第１封止手段４７による封止時にロック状態で分離不能に結合されることにより一つの第１封止部７５となり（図７（ｃ）、図８等）、この第１封止部７５上には、表ケース側係合爪部６６ｂと裏ケース側係合爪部６７ｂとが一体となって封止係合部（係合部）７６（図７（ｃ））が形成される。この封止係合部７６は、例えば第１封止部７５の長手方向に対してその一端側が緩やかな傾斜面７６ａを形成している（図９（ａ）等）。
【００３６】
裏ケース側設置部７３は、例えば裏ケース体４２側の起立壁部６２と、この起立壁部６２から一対の表ケース側リブ７０，７１の対向面側に沿って開閉スライド方向に突設された上下一対の裏ケース側リブ７７，７８とで三方を取り囲まれており、裏ケース側封止部６７は、表ケース側封止部６６の裏側に摺接するようにこの裏ケース側設置部７３内に配置されている。なお、裏ケース側封止部６７の外周側と裏ケース側設置部７３との間には所定幅の隙間７９が設けられている。
【００３７】
裏ケース側損壊部７４は、例えば表ケース側損壊部６９と同じ太さの線状に形成され、裏ケース側封止部６７の外縁部と裏ケース側設置部７３の内縁部とを一体に連結するように隙間７９内に複数配置されている。本実施形態では、裏ケース側損壊部７４は表ケース側損壊部６９に対応して設けられており、ロック状態のときに全ての裏ケース側損壊部７４が夫々表ケース側損壊部６９と前後に重なって第１損壊部８０を形成するようになっている（図７（ｃ）、図８等）。第１封止手段４７による封止を解除する場合には、この第１損壊部８０を切断して第１封止部７５を主基板ケース２４から取り除けばよい。
【００３８】
なお、第１損壊部８０を切断すると、第１封止部７５側に第１損壊部８０の一部が残突起部として残る場合がある。本実施形態では、複数の残突起部のうち、封止係合部７６が形成された辺に隣接する辺上の四つを残突起部８０ａ、封止係合部７６が形成された辺に対向する辺上の二つを残突起部８０ｂとして区別する（図９（ｂ））。
【００３９】
第２封止手段４８は、第２封止部材によって表ケース体４１に対する裏ケース体４２の開方向への相対移動を阻止することにより主基板ケース２４を閉状態で封止するもので、その第２封止部材として、第１封止手段４７の封止解除時に主基板ケース２４から取り除いた第１封止部７５を使用するように構成され、例えば基板格納部４６に対して開閉スライド方向の一端側近傍に第１封止手段４７に隣接して配置されており、表ケース体４１側の封止部材装着部８１と、裏ケース体４２側の封止被係合部（被係合部）８２とを備えている。
【００４０】
表ケース体４１側の封止部材装着部８１は、主基板ケース２４から取り除いた第１封止部７５を収容するもので、裏ケース体４２側の面が第１封止部７５の装着口８３として開放された矩形箱形に形成されており、封止係合部７６を裏ケース体４２側に向けた状態で第１封止部７５を開閉スライド方向に沿って保持するように、表ケース体４１側の左周壁部５５の外面側に一体に設けられている。ここで、第１封止部７５は、図１０に示すように、封止係合部７６の傾斜面７６ａが、表ケース体４１における開閉スライド方向のロック状態側（ここでは左側）を向くように封止部材装着部８１内に挿入される。
【００４１】
第２封止手段４８では、例えばこの封止部材装着部８１と左周壁部５５との連結部分が、封止を解除する際に損壊する第２損壊部８４となっており、封止部材装着部８１とこれに隣接する各部位、即ち第１封止手段４７及び後述する閉鎖固定部５０との間には、第２損壊部８４を損壊する際にニッパー等の工具を挿入するための隙間が形成されている。
【００４２】
また、封止部材装着部８１には、図５，図６等に示すように、第１封止部７５上の残突起部８０ａが嵌合する凹状の残突起嵌合溝（残突起嵌合部）８５ａと、同じく残突起部８０ｂが嵌合する貫通状の残突起嵌合孔（残突起嵌合部）８５ｂとが設けられている。残突起嵌合溝８５ａは、封止部材装着部８１の開閉スライド方向の両端側に対応してその内面側に第１封止部７５の挿入方向に沿って設けられている。また残突起嵌合孔８５ｂは、封止部材装着部８１上の装着口８３に対向する底壁に開口状に設けられている。これにより、残突起部８０ａ，８０ｂの有無やその長さのバラツキに拘わらず、第１封止部７５は常に封止部材装着部８１内の所定の定位置に保持されるため、第２封止手段４８による封止を行う際に例えば残突起部８０ａ，８０ｂを除去する必要はない。更に封止部材装着部８１には、装着口８３側の縁部から開閉スライド方向に対する左右両側に向けて一対の係合突部８６が一体に設けられている。
【００４３】
裏ケース体４２側の封止被係合部８２は、封止部材装着部８１に装着された第１封止部７５上の封止係合部７６がロック状態において係合することにより表ケース体４１に対する裏ケース体４２のアンロック状態側への相対移動を阻止するもので、封止部材装着部８１の装着口８３に沿って設けられた台板部８７上に形成されている。台板部８７は、例えば裏ケース体４２側の起立壁部６２と裏ケース側リブ７８とに跨って一体に設けられている。
【００４４】
この台板部８７上には、アンロック状態のときの封止係合部７６が嵌合する第１嵌合溝８８と、ロック状態のときの封止係合部７６が嵌合する第２嵌合溝８９とが設けられ、それら第１嵌合溝８８と第２嵌合溝８９との間に形成された相対的に突出した部分が封止被係合部８２となっており、主基板ケース２４がアンロック状態からロック状態に切り換えられる際には、図１０に示すように、封止係合部７６は傾斜面７６ａに案内されて第１嵌合溝８８側から封止被係合部８２を越えて第２嵌合溝８９に乗り移り、封止被係合部８２に係合するようになっている。
【００４５】
更に台板部８７上には、封止部材装着部８１側の係合突部８６に対応する一対の被係合部９０が形成されており、主基板ケース２４がアンロック状態からロック状態に切り換えられる際に係合突部８６が被係合部９０に係合して、封止部材装着部８１の台板部８７からの離間を阻止するようになっている。これにより、例えば台板部８７と封止部材装着部８１との隙間をこじ開けて第２封止手段４８による封止を解除する不正行為を確実に防止できる。
【００４６】
ＩＣタグシール貼付部４９は、表ケース体４１側の表ケース側貼付面９１と裏ケース体４２側の裏ケース側貼付面９２とで構成されている。これら表ケース側貼付面９１と裏ケース側貼付面９２とは、例えば共に主制御基板２３と平行で且つ電子部品装着面２３ａと同じ向きに形成された平面であって、アンロック状態では互いに離間した状態にあり、アンロック状態からロック状態に切り換えられたとき、両者は開閉スライド方向に連結されてＩＣタグシール４０を貼付可能な１つの平面を形成するようになっている。なお、このＩＣタグシール貼付部４９には、貼付済みのＩＣタグシール４０を保護するカバー部材を装着することが望ましい。
【００４７】
閉鎖固定部５０は、表ケース体４１側の表ケース側固定部９３と裏ケース体４２側の裏ケース側固定部９４とで構成されている。裏ケース側固定部９４には固定ねじ用のねじ止め基部９４ａが、表ケース側固定部９３にはねじ止め基部９４ａに対応するねじ挿通孔９３ａが夫々設けられており、ロック状態において両者は例えば前後方向に互いに重なり合うようになっている。例えば未封止の主基板ケース２４を搬送する際には、この閉鎖固定部５０に固定ねじをねじ込むことにより表ケース体４１と裏ケース体４２とをロック状態で仮固定することができる。
【００４８】
以上のような主基板ケース２４を組み立てる際には、まず表ケース体４１の内側に主制御基板２３を装着、固定し、その表ケース体４１の裏側に裏ケース体４２をアンロック状態に嵌め合わせる（図７（ａ）→（ｂ））。このとき、表ケース側封止部６６と裏ケース側封止部６７とは開閉スライド方向に互いにずれた位置関係にあり（図７（ｂ））、また表ケース側貼付面９１と裏ケース側貼付面９２とは開閉スライド方向に離間している（図示省略）。
【００４９】
次に、表ケース体４１と裏ケース体４２とを互いに相対的にスライドさせ、裏ケース体４２側のロック係合部６４を表ケース体４１側のロック被係合部６３に夫々係合させてロック状態とする（図７（ｂ）→（ｃ））。これにより、表ケース側封止部６６と裏ケース側封止部６７とが開閉スライド方向に一致して、前後方向、即ち主制御基板２３の板厚方向に互いに隙間なく重なり合った状態となる（図７（ｃ），図８，図９（ａ））。また、表ケース側貼付面９１と裏ケース側貼付面９２とが互いに連結されて１つのＩＣタグシール貼付部４９が形成される（図９（ａ））。
【００５０】
この状態で、第１封止手段４７による最初の封止を行う。即ち、表ケース側封止部６６と裏ケース側封止部６７とを、例えば図７（ｃ）に示すように超音波溶着装置の台座９６とホーン９７との間に挟み込み、ホーン９７を介して超音波振動を付与することにより、表ケース側封止部６６と裏ケース側封止部６７との間に摩擦熱を生じさせて両者を溶着する。これにより、表ケース体４１と裏ケース体４２とがロック状態で互いに固定され、第１封止手段４７による主基板ケース２４の封止が完了する。
【００５１】
第１封止手段４７によって封止された主基板ケース２４は、ＩＣタグシール貼付部４９にＩＣタグシール４０を貼着することにより封印され（図９（ａ））、各コネクタ４４に各種ハーネスが接続された後、集球ケース２２の背面側の主基板ケース装着部３１に装着される。
【００５２】
検査等のために主基板ケース２４を開封する場合には、まず主基板ケース２４を主基板ケース装着部３１から取り外し、各種ハーネスをコネクタ４４から取り外し、ＩＣタグシール４０をカットして封印を解いた後、第１封止手段４７による封止を解除する。即ち、第１損壊部８０（表ケース側損壊部６９及び裏ケース側損壊部７４）をニッパー等の工具を用いて切断し、第１封止部７５（表ケース側封止部６６と裏ケース側封止部６７との結合体）を主基板ケース２４から取り除く（図９（ａ）→（ｂ））。これにより、表ケース体４１と裏ケース体４２との結合状態が解除されるため、裏ケース体４２を表ケース体４１に対してアンロック状態側に相対的にスライドさせて主基板ケース２４を開封することができる。
【００５３】
第１封止手段４７による封止を解除して主基板ケース２４を開封した後、再び封止する場合には第２封止手段４８を用いて以下のような手順で行う。即ち、まず第１封止手段４７による封止解除時に主基板ケース２４から切り離した第１封止部７５（第２封止部材）を、封止係合部７６の傾斜面７６ａが表ケース体４１における開閉スライド方向のロック状態側を向くように、封止係合部７６が設けられている端面の反対側の端面側から封止部材装着部８１内に挿入する（図１０（ａ））。
【００５４】
このとき、第１損壊部８０を切断した際（図９（ｂ））に第１封止部７５側に残った残突起部８０ａ，８０ｂは、封止部材装着部８１内に設けられた残突起嵌合溝８５ａ及び残突起嵌合孔８５ｂに夫々嵌合し、残突起部８０ａ，８０ｂの有無やその長さのバラツキに拘わらず、第１封止部７５は常に封止部材装着部８１内の所定の定位置に保持されるため、第１封止部７５から残突起部８０ａ，８０ｂをわざわざ除去する必要はない。従って、主基板ケース２４の最初の開封から再封止までの作業においては僅かな廃棄物も発生しない。
【００５５】
続いて、最初の封止時（図７）と同様、表ケース体４１と裏ケース体４２とをアンロック状態に嵌め合わせる（図１０（ｂ））。このとき、第１封止部７５上の封止係合部７６は、第１嵌合溝８８内に収容された状態となっている。そして、表ケース体４１と裏ケース体４２とを互いに相対的にスライドさせて、裏ケース体４２側のロック係合部６４を表ケース体４１側のロック被係合部６３に夫々係合させてロック状態とする（図１０（ｂ）→（ｃ））。このとき、第１封止部７５上の封止係合部７６は、傾斜面７６ａに案内されて第１嵌合溝８８側から封止被係合部８２を越えて第２嵌合溝８９に乗り移り、封止被係合部８２に係合するため、表ケース体４１に対する裏ケース体４２のアンロック状態側へのスライド移動が阻止され、第２封止手段４８による主基板ケース２４の封止が完了する。
【００５６】
なお、ロック状態では、互いに係合している封止係合部７６と封止被係合部８２との両側で、封止部材装着部８１上の係合突部８６が台板部８７上の被係合部９０に係合し（図１１）、封止部材装着部８１の台板部８７からの離間が阻止されるため、例えば台板部８７と封止部材装着部８１との隙間をこじ開けて第２封止手段４８による封止を解除する不正行為を確実に防止できる。
【００５７】
その後に再び主基板ケース２４を開封する場合には、例えば封止部材装着部８１と左周壁部５５との連結部分の第２損壊部８４（図１０（ｃ））をニッパー等の工具を用いて切断し、第１封止部７５を封止部材装着部８１ごと表ケース体４１から切り離す（図１２）。これにより、表ケース体４１と裏ケース体４２との結合状態が解除されるため、裏ケース体４２を表ケース体４１に対してアンロック状態側に相対的にスライドさせて主基板ケース２４を開封することができる。
【００５８】
以上説明したように、本実施形態のパチンコ機では、第１封止手段４７が、第１損壊部８０を損壊して主基板ケース２４から第１封止部７５を取り除くことによりその封止が解除されるように構成され、第２封止手段４８が、第２封止部材により表ケース体４１に対する裏ケース体４２の開方向への相対移動を阻止することにより封止するように構成されており、第１封止手段４７の封止解除時に主基板ケース２４から取り除かれた第１封止部７５を第２封止部材として使用可能に構成しているため、部品点数が少なく、構成が簡単で、しかも主基板ケース２４の最初の開封から再封止までの作業において廃棄物が発生しないため作業の手間や無駄を最小限に抑えることが可能である。
【００５９】
また、第１封止手段４７は、表ケース側損壊部６９を介して表ケース体４１上に一体に設けられた表ケース側封止部６６と、裏ケース側損壊部７４を介して裏ケース体４２上に一体に設けられた裏ケース側封止部６７とを備え、主基板ケース２４を閉じた状態で表ケース側封止部６６と裏ケース側封止部６７とを分離不能に結合することにより表ケース体４１と裏ケース体４２とを封止可能であり、互いに結合された表ケース側封止部６６と裏ケース側封止部６７とで第１封止部７５が、表ケース側損壊部６９と裏ケース側損壊部７４とで第１損壊部８０が夫々構成されるため、第１封止手段４７による封止及び開封作業が容易であり、また第２封止部材として使用する第１封止部７５が１部品となるため再封止までの取扱い及び第２封止手段４８による再封止作業が容易である。
【００６０】
また、第２封止手段４８は、主基板ケース２４から取り除かれた第１封止部７５を装着可能な封止部材装着部８１を表ケース体４１上に備え、第１封止部７５上には係合部７６が、裏ケース体４２上で且つ封止部材装着部８１に装着された第１封止部７５に対応する位置には被係合部８２が夫々設けられており、第１封止部７５を封止部材装着部８１に装着した状態で主基板ケース２４を閉じたとき、係合部７６と被係合部８２とが係合して表ケース体４１に対する裏ケース体４２の開方向への相対移動を阻止するように構成されているため、第２封止手段４８による再封止時には第１封止部７５を封止部材装着部８１に装着して主基板ケース２４を閉じるだけでよく、作業が極めて容易である。
【００６１】
また、封止部材装着部８１には、第１損壊部８０を損壊した後に第１封止部７５側に残った残突起部８０ａ，８０ｂに対応する残突起嵌合溝８５ａ及び残突起嵌合孔８５ｂが設けられ、第１封止部７５は、残突起部８０ａ，８０ｂが残突起嵌合溝８５ａ及び残突起嵌合孔８５ｂに嵌合することにより封止部材装着部８１上の定位置に保持されるように構成されているため、第１封止部７５から残突起部８０ａ，８０ｂをわざわざ除去する必要はなく、主基板ケース２４の最初の開封から再封止までの作業の手間が軽減されると共に僅かな廃棄物も発生しないという利点がある。
【００６２】
図１３は本発明の第２の実施形態を例示し、第１の実施形態を一部変更して、第２封止手段４８の第２封止部材として使用する第１封止部７５を、第１損壊部８０を介して表ケース体４１に一体に形成した例を示している。
【００６３】
第１の実施形態では、表ケース体４１上に一体に設けられた甲ケース側封止部６６と、裏ケース体４２上に一体に設けられた乙ケース側封止部６７とを分離不能に結合した第１封止部７５を第２封止手段４８の第２封止部材として使用したが、本実施形態では、図１３に示すように、例えば第１の実施形態の第１封止手段４７と略同じ形状の第１封止部７５を、１又は複数の第１損壊部８０を介して表ケース体４１に一体に形成している。
【００６４】
また、裏ケース体４２側には、突起状（又は凹入状）の係合部９８が設けられており、第１封止部７５にはこの係合部９８と係合する被係合部９９が設けられている。本実施形態では、表ケース体４１側の第１封止部７５と、裏ケース体４２側の係合部９８とで第１封止手段４７が構成されている。
【００６５】
第１封止手段４７による最初の封止を行う際には、表ケース体４１と裏ケース体４２とを嵌め合わせてアンロック状態からロック状態にスライドさせればよい。このとき、裏ケース体４２側の係合部９８が表ケース体４１側の第１封止部７５上の被係合部９９に係合してアンロック状態側へのスライドを阻止し、これによって第１封止手段４７による主基板ケース２４の封止が完了する。
【００６６】
第１封止手段４７による封止を解除する場合には、第１損壊部８０を切断して第１封止部７５を表ケース体４１から取り除けばよい。これにより、表ケース体４１と裏ケース体４２との結合状態が解除されるため、裏ケース体４２を表ケース体４１に対してアンロック状態側に相対的にスライドさせて主基板ケース２４を開封することができる。その後に主基板ケース２４を再び封止する場合には、１回目の開封時に表ケース体４１から切り離した第１封止部７５を用い、第１の実施形態と同様の手順で行うことができる。この場合も、第１の実施形態と同様、部品点数が少なく、構成が簡単で、しかも主基板ケース２４の最初の開封から再封止までの作業において廃棄物が発生しないため作業の手間や無駄を最小限に抑えることが可能である。
【００６７】
以上、本発明の実施形態について詳述したが、本発明はこれらの実施形態に限定されるものではなく、本発明の趣旨を逸脱しない範囲で種々の変更が可能である。例えば第１の実施形態の場合、表ケース側封止部６６と裏ケース側封止部６７とは同一（対称）形状でなくてもよく、結合したときに第２封止部材として使用できる形状になればよい。また表ケース側損壊部６９と裏ケース側損壊部７４とについても互いに重ならないように設けてもよい。
【００６８】
第２の実施形態の場合、第２封止手段４８による封止時に使用する封止係合部７６を第１封止手段４７による封止時の係合部としても用いるように構成してもよい。また、第２の実施形態では、理解を容易にするために第１の実施形態との構成上の相違点をなるべく少なくした関係上、不正開封等の対策については必ずしも十分ではないため、実施にあたっては第１封止手段４７による封止時のこじ開け防止等の必要な対策を講じることが望ましい。
【００６９】
実施形態では甲ケース体に対して乙ケース体を相対的にスライドさせてロックするタイプの基板ケースを採用したが、基板ケースはどのようなものでもよく、例えば一端側に設けたヒンジ機構により甲ケース体と乙ケース体とを開閉可能に係合させ、他端側に設けた封止手段により閉状態で封止するタイプの基板ケースを採用してもよい。
【００７０】
また、実施形態では本発明をパチンコ機に適用した例を示したが、アレンジボール機、スロットマシン等の各種遊技機において同様に実施可能であることは言うまでもない。
【符号の説明】
【００７１】
２３    主制御基板（基板）
２４    主基板ケース（基板ケース）
４１    表ケース体（甲ケース体）
４２    裏ケース体（乙ケース体）
４７    第１封止手段（封止手段）
４８    第２封止手段（封止手段）
６６    表ケース側封止部（甲ケース側封止部）
６７    裏ケース側封止部（乙ケース側封止部）
６９    表ケース側損壊部（甲ケース側損壊部）
７４    裏ケース側損壊部（乙ケース側損壊部）
７５    第１封止部（第２封止部材）
７６    封止係合部（係合部）
８０    第１損壊部（損壊部）
８０ａ  残突起部
８０ｂ  残突起部
８１    封止部材装着部
８２    封止被係合部（被係合部）
８４    第２損壊部（損壊部）
８５ａ  残突起嵌合溝（残突起嵌合部）
８５ｂ  残突起嵌合孔（残突起嵌合部）
【図１】
0005463200.tif 000002
【図２】
0005463200.tif 000003
【図３】
0005463200.tif 000004
【図４】
0005463200.tif 000005
【図５】
0005463200.tif 000006
【図６】
0005463200.tif 000007
【図７】
0005463200.tif 000008
【図８】
0005463200.tif 000009
【図９】
0005463200.tif 000010
【図１０】
0005463200.tif 000011
【図１１】
0005463200.tif 000012
【図１２】
0005463200.tif 000013
【図１３】
0005463200.tif 000014